(57)【要約】【課題】書込み放電を高速、安定して行い、かつプライミング電極の駆動回路を簡略化、合理化するとともに駆動電圧を印加する際の発熱を低減することができるプラズマディスプレイパネルを提供する。【解決手段】データ電極３２と、データ電極３２と交差する方向に配置されたプライミング電極３６と、データ電極３２と平行に配置され主放電セル４０を形成する縦壁部３４ａと、主放電セル４０の間に隙間部４１を形成する横壁部３４ｂと、プライミング電極３６の端部を電気的に連結した引き出し部３８とを備え、引き出し部３８の幅をプライミング電極３６の幅よりも広く形成して引き出し部３８の単位長さあたりの電気抵抗をプライミング電極３６の単位長さあたりの電気抵抗よりも小さくする。【選択図】図５
2005149830.tif 000002
【特許請求の範囲】
【請求項１】
第１の基板上に互いに平行となるように配置した走査電極および維持電極と、
放電空間を挟んで前記第１の基板に対向配置される第２の基板上に前記走査電極および前記維持電極と交差する方向に配置したデータ電極と、
前記データ電極を覆うように形成した誘電体層と、
前記誘電体層上に設け前記走査電極および前記維持電極と平行に配置した複数のプライミング電極と、
前記走査電極および前記維持電極と前記データ電極とで形成される複数の主放電セルと、
前記走査電極と前記プライミング電極とで形成される複数のプライミング放電セルと、
前記主放電セルおよび前記プライミング放電セルを区画するように形成した隔壁と、
複数の前記プライミング電極の端部を電気的に連結して形成した引き出し部とを有し、
前記引き出し部の単位長さあたりの電気抵抗は前記プライミング電極の単位長さあたりの電気抵抗よりも低いことを特徴とするプラズマディスプレイパネル。
【請求項２】
前記引き出し部の幅が前記プライミング電極の幅よりも広くなるように前記引き出し部を形成して、前記引き出し部の単位長さあたりの電気抵抗を前記プライミング電極よりも低くしたことを特徴とする請求項１記載のプラズマディスプレイパネル。
【請求項３】
前記引き出し部の厚みが前記プライミング電極の厚みよりも厚くなるように前記引き出し部を形成して、前記引き出し部の単位長さあたりの電気抵抗を前記プライミング電極よりも低くしたことを特徴とする請求項１記載のプラズマディスプレイパネル。
【請求項４】
複数の前記プライミング電極の一端を連結した第１の引き出し部と、他端を連結した第２の引き出し部とを有することを特徴とする請求項１から請求項３のいずれかに記載のプラズマディスプレイパネル。
【請求項５】
前記第１の引き出し部および前記第２の引き出し部に電気的に接続して形成し、前記第１の引き出し部および前記第２の引き出し部とで複数の前記プライミング電極の周囲を取り囲むように配置した接続部を有し、
前記接続部の単位長さあたりの電気抵抗は前記プライミング電極の単位長さあたりの電気抵抗よりも低いことを特徴とする請求項４記載のプラズマディスプレイパネル。
【請求項６】
前記接続部の幅が前記プライミング電極の幅よりも広くなるように前記接続部を形成して、前記接続部の単位長さあたりの電気抵抗を前記プライミング電極よりも低くしたことを特徴とする請求項５記載のプラズマディスプレイパネル。
【請求項７】
前記接続部の厚みが前記プライミング電極の厚みよりも厚くなるように前記接続部を形成して、前記接続部の単位長さあたりの電気抵抗を前記プライミング電極よりも低くしたことを特徴とする請求項５記載のプラズマディスプレイパネル。
【発明の詳細な説明】
【技術分野】
【０００１】
本発明はプラズマディスプレイパネル（以下、パネルとも記す）に関する。
【背景技術】
【０００２】
近年、急速に市場規模を拡大してきたプラズマディスプレイ装置は、大画面、薄型、軽量を特徴とする視認性に優れた表示デバイスである。また、ハイビジョン放送に代表される高精細映像に対応するため、プラズマディスプレイパネルの高精細化が進められている。プラズマディスプレイパネルの電極構造にはいくつかの種類があるが、現在は大画面化、高精細化に適したＡＣ型３電極プラズマディスプレイパネルが主流となっている。
【０００３】
ＡＣ型３電極プラズマディスプレイパネルは、一般に対向配置された前面板と背面板との間に多数の放電セルを形成している。前面板は、走査電極と維持電極とからなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置して密封し、内部の放電空間に放電ガスを封入している。また、ハイビジョンに対応した高精細なプラズマディスプレイパネルは通常７００本を超す走査電極を有する。
【０００４】
ＡＣ型プラズマディスプレイパネルを駆動する方法としては、１フィールド期間を複数のサブフィールドに分割し、発光させるサブフィールドの組合せによって階調表示を行う、いわゆるサブフィールド法が一般的である。各サブフィールドは初期化期間、書込み期間および維持期間を有する。
【０００５】
初期化期間では、プラズマディスプレイパネルを構成するすべての放電セルに初期化放電を起こし、続く書込み放電に必要な励起粒子（以下、プライミング粒子と記す）を発生させるための初期化パルスを印加する。続く書込み期間では、プラズマディスプレイパネルに備えられた走査電極およびデータ電極にそれぞれ走査パルスおよび書込みパルスを印加し、選択的な書込み放電を起こす。続く維持期間では走査電極と維持電極との間に所定の回数の維持パルスを印加して維持放電を起こし、放電セルを発光させる。
【０００６】
放電セルにおいて放電を起こす場合、放電電圧を印加してから放電を開始するまでに時間差（以下、放電遅れと略記する）がある。そのため、放電セルを安定して放電させるには、走査パルスおよび書込みパルスのパルス幅を少なくとも放電遅れより長くしなければならない。
【０００７】
一方、書込み期間では走査パルスを走査電極に順次印加していくので、走査電極の数によって走査パルスの印加回数が決まる。したがって、プラズマディスプレイパネルの高精細化によって走査電極の数が増えると、増加した走査電極の数に依存して書込み期間が長くなる。書込み期間が長くなれば、初期化期間または維持期間を短縮してサブフィールドの期間が変わらないようにするか、初期化期間および維持期間は変えずにサブフィールドの期間を長くするかのいずれかによる時間調整が必要になる。
【０００８】
しかし、初期化期間を短縮するために初期化パルスを短くすると、放電セルの初期化が不確実となり、続く書込み放電で誤放電を起こしやすくなる。また維持期間を短縮するために維持パルスの印加回数を減らすと、維持放電の回数が減り輝度が低下する。また、サブフィールドの期間を長くするために１フィールドあたりのサブフィールドの数を減らすと階調性が低下する。
【０００９】
これらの課題を解決するために、前面板に補助放電電極（以下、プライミング電極と記す）を設けプライミング電極によって生じた補助放電（以下、プライミング放電と記す）によって放電遅れを小さくするパネルとその駆動方法が提案されている（特許文献１参照）。
【特許文献１】特開２００２−２９７０９１号公報
【発明の開示】
【発明が解決しようとする課題】
【００１０】
しかしながら、上述のパネルにおいては、個々の補助放電セルが比較的大きいため、画像表示のための放電セル間の距離を縮めることができず、その結果、高精細化が困難であるという課題があった。
【００１１】
本発明はこのような課題に鑑みてなされたものであり、プラズマディスプレイパネルの高精細化と、書込み動作の高速、安定化を実現することができ、さらに、プライミング電極の駆動回路を簡略化、合理化することができ、かつプライミング電極に駆動電圧を印加する際の発熱を低減することができるプラズマディスプレイパネルを提供することを目的とする。
【課題を解決するための手段】
【００１２】
本発明のプラズマディスプレイパネルは、第１の基板上に互いに平行となるように配置した走査電極および維持電極と、放電空間を挟んで第１の基板に対向配置される第２の基板上に走査電極および維持電極と交差する方向に配置したデータ電極と、データ電極を覆うように形成した誘電体層と、誘電体層上に設け走査電極および維持電極と平行に配置した複数のプライミング電極と、走査電極および維持電極とデータ電極とで形成される複数の主放電セルと、走査電極とプライミング電極とで形成される複数のプライミング放電セルと、主放電セルおよびプライミング放電セルを区画するように形成した隔壁と、複数のプライミング電極の端部を電気的に連結して形成した引き出し部とを有し、引き出し部の単位長さあたりの電気抵抗はプライミング電極の単位長さあたりの電気抵抗よりも低いことを特徴とする。
【００１３】
この構成によれば、第２の基板上にプライミング電極を配置することで、プラズマディスプレイパネルの高精細化と、書込み動作の高速、安定化を実現することができる。さらに、引き出し部によってプライミング電極に一括して駆動電圧を印加することができる。また引き出し部の単位長さあたりの電気抵抗が低いので、プライミング電極に駆動電圧を印加する際に発生する熱を抑えることができる。
【００１４】
また、引き出し部の幅がプライミング電極の幅よりも広くなるように引き出し部を形成する構成であってもよい。
【００１５】
このような構成によっても、引き出し部の単位長さあたりの電気抵抗をプライミング電極よりも低くすることができる。
【００１６】
また、引き出し部の厚みがプライミング電極の厚みよりも厚くなるように引き出し部を形成する構成であってもよい。
【００１７】
このような構成によっても、引き出し部の単位長さあたりの電気抵抗をプライミング電極よりも低くすることができる。
【００１８】
また、複数のプライミング電極の一端を連結した第１の引き出し部と、他端を連結した第２の引き出し部とを有する構成であってもよい。
【００１９】
このような構成によれば、プライミング電極の駆動電圧を印加する箇所を第１の引き出し部と第２の引き出し部との２箇所に分けて電流を分散させることができ、さらにプライミング電極に駆動電圧を印加する際に発生する熱を抑えることができる。
【００２０】
また、第１の引き出し部および第２の引き出し部に電気的に接続して形成し、第１の引き出し部および第２の引き出し部とで複数のプライミング電極の周囲を取り囲むように配置した接続部を有し、接続部の単位長さあたりの電気抵抗がプライミング電極の単位長さあたりの電気抵抗よりも低い構成であってもよい。
【００２１】
このような構成によれば、第１の引き出し部と第２の引き出し部とを接続部によって導電させることで、例えばプライミング電極の駆動電圧の印加が第１の引き出し部だけであっても、接続部を介して第２の引き出し部に電流を分散させることができる。
【００２２】
また、接続部の幅がプライミング電極の幅よりも広くなるように接続部を形成する構成であってもよい。
【００２３】
このような構成によっても、接続部の単位長さあたりの電気抵抗をプライミング電極よりも低くすることができる。
【００２４】
また、接続部の厚みがプライミング電極の厚みよりも厚くなるように接続部を形成する構成であってもよい。
【００２５】
このような構成によっても、接続部の単位長さあたりの電気抵抗をプライミング電極よりも低くすることができる。
【発明の効果】
【００２６】
本発明のプラズマディスプレイパネルによれば、高精細化した場合でも書込み放電を高速で安定して行い、プライミング電極の駆動回路を簡略化、合理化することができ、かつプライミング電極に駆動電圧を印加する際の発熱を低減することができるプラズマディスプレイパネルを提供することができる。
【発明を実施するための最良の形態】
【００２７】
以下、本発明の実施の形態におけるプラズマディスプレイパネルについて、図面を用いて説明する。
【００２８】
（実施の形態）
図１は本発明の実施の形態におけるプラズマディスプレイパネルを示す断面図であり、図２は同パネルの背面基板側の構造を模式的に示す斜視図である。
【００２９】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００３０】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。
【００３１】
走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００３２】
背面基板３１上には、走査電極２２および維持電極２３と交差する方向に、データ電極３２が互いに平行に複数形成されている。データ電極３２を覆うように誘電体層３３ａが形成され、誘電体層３３ａの上に、データ電極３２と交差する方向にプライミング電極３６が複数形成されている。
【００３３】
誘電体層３３ａは所定の厚みを有しており、データ電極３２とプライミング電極３６との間を絶縁している。プライミング電極３６を覆うようにさらに誘電体層３３ｂが形成され、さらにその上に隔壁３４が形成されている。隔壁３４は放電空間を区画して、走査電極２２および維持電極２３とデータ電極３２を有した主放電セル４０を形成している。隔壁３４は、図２に示すように、データ電極３２と平行な方向に延びる縦壁部３４ａと、主放電セル４０の間に隙間部４１を形成する横壁部３４ｂとで構成されている。隙間部４１はひとつおきにプライミング電極３６を有し、プライミング電極３６を有した隙間部４１はプライミング放電セル（以下、プライミングセルと略記する）４１ａとして形成される。そして、隔壁３４により区画された主放電セル４０に対応する誘電体層３３ｂの表面と隔壁３４の側面とに蛍光体層３５が設けられている。
【００３４】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行に、かつプライミングセル４１ａを挟んで対向するように位置合わせする。すなわち、図１、図２に示したプラズマディスプレイパネルは、前面基板２１側に形成された突出部分２２ｂ’と、背面基板３１側に形成されたプライミング電極３６との間でプライミング放電を行う構成となっている。また、図１ではプライミングセル４１ａ側に蛍光体層３５を形成していないが、これは、放電を阻害する働きのある蛍光体層を設けないことでプライミング放電を発生しやすくするためである。さらに、突出部分２２ｂ’とプライミング電極３６との間隔はデータ電極３２と透明電極２２ａとの間隔よりも短いので、プライミング放電は書込み放電よりも放電開始電圧が低く、放電が発生しやすい。
【００３５】
なお、図１、図２にはプライミング電極３６を覆うようにさらに誘電体層３３ｂが形成されているが、この誘電体層３３ｂは形成しなくてもよい。また、図１では隙間部４１側に蛍光体層３５を形成していないが、隙間部４１側に蛍光体層３５を形成する構成としてもよい。
【００３６】
図３は本発明の実施の形態におけるプラズマディスプレイパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の実施の形態においては奇数行目の走査電極ＳＣ１、ＳＣ３、・・・の突出部分２２ｂ’（図１の突出部分２２ｂ’）と対向するようにｎ／２本のプライミング電極ＰＲ１、ＰＲ３、・・・（図１のプライミング電極３６）が配列されている。
【００３７】
そして、一対の走査電極ＳＣｉ、維持電極ＳＵｉ（ｉ＝１〜ｎ）とひとつのデータ電極Ｄｊ（ｊ＝１〜ｍ）とを含む放電セルＣｉ，ｊ（図１の主放電セル４０）が放電空間内に形成される。このとき放電セルＣの総数はｍ×ｎ個になる。また１〜ｎ行のうちの奇数行に走査電極ＳＣｉの突出部分２２ｂ’とプライミング電極ＰＲｉとを含むプライミングセルＰＳｉ（図１のプライミングセル４１ａ）が形成され、プライミングセルＰＳの総数はｎ／２になる。
【００３８】
このように、本発明の実施の形態におけるプラズマディスプレイパネルにおいては、奇数行目の走査電極ＳＣｐ（ｐ＝奇数）は突出部分２２ｂ’をもち、自己の走査に伴ってプライミング放電を発生させるとともに書込みを行う。一方、偶数行目の走査電極ＳＣｐ＋１は突出部分２２ｂ’がなく、自己の走査に伴うプライミング放電を発生させずに書込みを行う。
【００３９】
次に、パネルを駆動するための駆動波形とそのタイミングについて説明する。
【００４０】
図４は、本発明の実施の形態におけるプラズマディスプレイパネルの駆動波形図である。なお、本発明の実施の形態においては、１フィールド期間が初期化期間、書込み期間、維持期間を有する複数のサブフィールドから構成されており、それぞれのサブフィールドは維持期間における維持パルスの数が異なる以外はほぼ同様の動作を行うので、ここではひとつのサブフィールドについてのみ動作を説明する。
【００４１】
初期化期間前半部では、データ電極Ｄ１〜Ｄｍ、維持電極ＳＵ１〜ＳＵｎおよびプライミング電極ＰＲ１〜ＰＲｎ−１をそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ−１上部には正の壁電圧が蓄積される。ここで、電極上部の壁電圧とは電極を覆う誘電体層上に蓄積された壁電荷により生じる電圧をあらわす。
【００４２】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎ−１との間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。以上により初期化動作が終了する。
【００４３】
書込み期間では、走査電極ＳＣ１〜ＳＣｎを一旦電圧Ｖｃに保持する。そして、プライミング電極ＰＲ１〜ＰＲｎ−１に電圧変化分（Ｖｃ−Ｖｉ４）とほぼ等しい電圧Ｖｑを印加する。
【００４４】
まず、奇数行目の放電セルＣｐ，１〜Ｃｐ，ｍの書込み動作では、走査電極ＳＣｐに走査パルス電圧Ｖａを印加するとともに、表示すべき画像信号に対応するデータ電極Ｄｋ（ｋは１〜ｍの整数）に正の書込みパルスＶｄを印加する。奇数行目の走査電極ＳＣｐは自己の走査に伴ってプライミング放電を発生させるとともに書込みを行う走査電極である。したがって、この走査パルス電圧Ｖａの印加により、プライミングセルＰＳｐにおいてプライミング電極ＰＲｐと走査電極ＳＣｐとの間でプライミング放電が発生し、放電セルＣｐ，１〜Ｃｐ，ｍと放電セルＣｐ＋１，１〜ＣＰ＋１，ｍとの内部にプライミングが供給される。このときの放電は、上述したようにプライミングセルが放電しやすい構造であるため、放電遅れが小さく速い安定したプライミング放電となる。
【００４５】
その後引き続いて書込みパルス電圧を印加したデータ電極Ｄｋに対応する放電セルＣｐ、ｋで書込み放電が発生する。このとき、放電セルＣｐ，ｋの放電は走査電極ＳＣｐとプライミング電極ＰＲｐとの間で発生したプライミング放電からプライミングが供給されつつ発生するので、プライミングセルからプライミングの供給が始まるまでの時間遅れはあるものの、プライミング供給後は放電遅れが小さく安定した放電となる。
【００４６】
この書込み放電により放電セルＣｐ，ｋの走査電極ＳＣｐ上部に正電圧が蓄積され、維持電極ＳＵｐ上部に負電圧が蓄積されて、奇数行目の書込み動作が終了する。
【００４７】
次に、偶数行目の放電セルＣｐ＋１，１〜ＣＰ＋１，ｍの書込み動作では、ｐ＋１行目の走査電極ＳＣＰ＋１に走査パルス電圧Ｖａを印加すると同時に、データ電極Ｄ１〜Ｄｍのうちｐ＋１行目に表示すべき画像信号に対応するデータ電極Ｄｋに正の書込みパルス電圧Ｖｄを印加する。これにより、データ電極Ｄｋと走査電極ＳＣＰ＋１との交差部で放電が発生する。このとき、放電セルＣＰ＋１，ｋでは走査電極ＳＣｐとプライミング電極ＰＲｐとの間で発生したプライミング放電から十分なプライミングがすでに供給された状態で放電が発生するので、書込み放電の放電遅れは非常に小さく安定した放電となる。
【００４８】
この書込み放電により放電セルＣｐ＋１，ｋの走査電極ＳＣｐ上部に正電圧が蓄積され、維持電極ＳＵｐ上部に負電圧が蓄積されて、偶数行目の書込み動作が終了する。
【００４９】
以下、同様の書込み動作をｎ行目の放電セルＣｎ，ｋに至るまで行い、書込み動作が終了する。
【００５０】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ，ｊにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００５１】
このように、本発明の実施の形態では、奇数行目の放電セルＣｐ，１〜Ｃｐ，ｍの書込み動作において、背面基板３１側に設けたプライミング電極ＰＲｐと前面基板２１側に設けた走査電極ＳＣｐとの間でプライミング放電を発生させる。このとき、プライミング電極ＰＲ１〜ＰＲｎ−１には常に共通の電圧波形を印加している。このプライミング放電の発生により、放電セルＣｐ，１〜Ｃｐ，ｍと放電セルＣｐ＋１，１〜Ｃｐ＋１，ｍとの内部にプライミングを供給することができ、放電遅れが小さく、高速かつ安定した書込み放電を実現することができる。
【００５２】
次に、引き出し部３８について説明する。
【００５３】
図５は背面基板３１側の構造を模式的に示す平面図である。本発明の実施の形態では、図５に示すように、プライミング電極３６の端部を連結するように引き出し部３８を配置し、引き出し部３８とプライミング電極３６とを電気的に接続して形成する。こうしてすべてのプライミング電極３６を引き出し部３８に接続し、引き出し部３８に印加される電圧が、引き出し部３８を介してプライミング電極３６に一括して印加される構成とする。
【００５４】
本発明の実施の形態では、パネルを駆動するときすべてのプライミング電極３６に対して共通の電圧波形を印加している。したがって、図５に示す構成とすることができ、こうすることで、プライミング電極３６のそれぞれに駆動電圧を印加する場合と比較して、駆動回路を簡略化、合理化することができる。
【００５５】
また、引き出し部３８の単位長さあたりの電気抵抗がプライミング電極３６の単位長さあたりの電気抵抗よりも小さくなるように、引き出し部３８の幅をプライミング電極３６の幅よりも広く形成する。
【００５６】
図６は引き出し部３８およびプライミング電極３６に電流が流れる様子を模式的に示した図である。図６に示すように、プライミング電極ＰＲ１〜ＰＲｎは引き出し部３８に電気的に接続されている。したがって、引き出し部３８の端部Ａに駆動電圧を印加すると、図６の破線に示すように、まず端部Ａにプライミング電極ＰＲ１〜ＰＲｎに流れる分の電流が流れ、次に端部Ａから端部Ｂに向かう途中でプライミング電極ＰＲ１〜ＰＲｎにそれぞれ枝分かれしていき、最後に端部Ｂではプライミング電極ＰＲｎに流れる分の電流だけになる。
【００５７】
このとき、引き出し部３８には、引き出し部３８を流れる電流と引き出し部３８のもつ電気抵抗によってジュール熱が発生する。この熱は、電流量が多いほど、また電気抵抗が大きいほど、高くなる。したがって、端部Ａに駆動電圧を印加する場合、端部Ａに最も多くの電流が流れ、端部Ａに発生する熱が最も高くなる。
【００５８】
しかし、このように局所的に高い熱が発生すると、前面基板２１や背面基板３１に局所的な熱膨張を発生させ、基板の損傷等を誘引する恐れがあるため、好ましくない。
【００５９】
すなわち、本発明の実施の形態では、引き出し部３８の幅をプライミング電極３６の幅よりも広く形成して引き出し部３８の単位長さあたりの電気抵抗を小さくし、熱の発生を抑える。このとき、望ましくは引き出し部３８の単位長さあたりの電気抵抗がプライミング電極３６の単位長さあたりの電気抵抗の７分の１以下になるように、より望ましくは１０分の１以下となるように引き出し部３８を形成する。本発明の実施の形態では、プライミング電極３６および引き出し部３８の材料をＡｇとし、４２インチのパネルにおいて、プライミング電極３６の幅を約０．０６ｍｍ〜約０．１ｍｍ、プライミング電極３６の単位長さあたりの電気抵抗を約７０Ω／ｍ〜約１００Ω／ｍ、引き出し部３８の幅を約１．０ｍｍ〜約５．０ｍｍ、引き出し部３８の単位長さあたりの電気抵抗を約２．０Ω／ｍ〜約１０Ω／ｍと設定している。
【００６０】
また、引き出し部３８に流れる電流を減らすことで、さらに熱の発生を抑えることができる。図７は背面基板３１側の構造の一例を模式的に示す平面図である。図７に示す例では、プライミング電極３６の一端を電気的に連結した第１の引き出し部３８ａと、他端を電気的に連結した第２の引き出し部３８ｂとを設けている。この構成では、例えば第１の引き出し部３８ａの端部Ａと第２の引き出し部３８ｂの端部Ｃとの２箇所から駆動電圧を印加することで、駆動電圧の印加箇所を１箇所にした場合と比較して電流を分散させることができ、さらに熱の発生を抑えることができる。
【００６１】
図８は背面基板３１側の構造の他の例を模式的に示す平面図である。図８に示す例では、プライミング電極３６と平行に、かつプライミング電極３６群を間に挟んでふたつの接続部３９を設け、第１の引き出し部３８ａおよび第２の引き出し部３８ｂと接続部３９とでプライミング電極３６群の周囲を取り囲むように配置している。そして第１の引き出し部３８ａおよび第２の引き出し部３８ｂと接続部３９とを電気的に接続して形成する。こうして、第１の引き出し部３８ａと第２の引き出し部３８ｂとを接続部３９を介して導電させる。このとき、引き出し部３８と同様、接続部３９の幅をプライミング電極３６の幅よりも広く形成し、接続部３９の単位長さあたりの電気抵抗を小さくする。これは、第１の引き出し部３８ａと第２の引き出し部３８ｂとの間を電流が流れやすくすると同時に、接続部３９を流れる電流によって発生する熱を抑えるためである。この構成では、例えば第１の引き出し部３８ａの端部Ａおよび端部Ｂの２箇所に駆動電圧を印加したとしても、接続部３９を通って第２の引き出し部３８ｂに電流が流れるので、第１の引き出し部３８ａに流れる電流を第２の引き出し部３８ｂに分散することができる。このようにして、設計上の制約等で第１の引き出し部３８ａだけにしか駆動電圧を印加できない場合であっても、図７の例と同様の効果を得ることができる。
【００６２】
なお、駆動電圧の印加箇所は、例えば端部Ａと端部Ｄ等上述した以外の箇所であってもよい。また、駆動電圧の印加箇所が１箇所であれば、プライミング電極３６の周囲をコの字型に取り囲むように接続部３９をひとつだけとしてもかまわない。また、端部Ａ〜Ｄの４箇所に駆動電圧を印加する構成であれば、さらに電流が分散されるので、さらに熱の発生を抑えることができる。ただし、駆動電圧を印加する箇所が増えると駆動電圧を印加するための配線が増える等の問題もでてくるので、機種毎に最適化することが望ましい。
【００６３】
なお、図７および図８に示した構成に限らず、例えば奇数番目のプライミング電極３６を第１の引き出し部３８ａに接続し、偶数番目のプライミング電極３６を第２の引き出し部３８ｂに接続する等の構成であってもかまわない。
【００６４】
図９は引き出し部３８の形状の一例を示す概略図である。端部Ａに駆動電圧を印加する場合、図６で説明したように、端部Ａに流れる電流が最も多く、端部Ｂに流れる電流は最も少ない。流れる電流が多いところのみ電気抵抗を低くしても熱の発生を抑える効果を得ることができるので、図９に示す例では、電流が最も多く流れる端部Ａの幅を広くし、流れる電流が少ない端部Ｂは狭くするように引き出し部３８を形成している。こうすることで、引き出し部３８を一様に広くする構成と比較して、引き出し部３８を形成する材料を少なくできるという効果も得られる。
【００６５】
図１０は引き出し部３８の形状の他の例を示す概略図である。端部Ａおよび端部Ｂに駆動電圧を印加する場合では、引き出し部３８の中央部で電流が最も少なくなる。したがって、図１０に示す例では、端部Ａおよび端部Ｂの幅を広くし、中央部の幅を狭くするように引き出し部３８を形成している。なお、図１０には示していないが、中央部から駆動電圧を印加する場合であれば、中央部に流れる電流が最も多く、両端部に流れる電流が最も少なくなるので、中央部の幅を広く、両端部の幅を狭くする構成としてもよい。
【００６６】
図１１は引き出し部３８とプライミング電極３６との接続箇所の一例を示す拡大図である。図１１に示すように、例えば、引き出し部３８の厚みをプライミング電極３６の厚みよりも厚く形成して、引き出し部３８の単位長さあたりの電気抵抗を小さくしても同様の効果を得ることができる。この構成は引き出し部３８の配置場所にスペースが少なく引き出し部３８の幅を広くすることができない場合等に有効である。また、図９および図１０に示した例と同様、電流が多く流れる部分の厚みを厚くし、電流が少ない部分を薄くする構成でもかまわない。また、引き出し部３８をプライミング電極３６より電気抵抗の低い材料を用いて形成する構成としてもよい。
【００６７】
以上説明したように、本発明のプラズマディスプレイパネルは、背面基板側にプライミング電極を設けることで、プラズマディスプレイパネルを高精細化した場合でも放電遅れが小さく、高速かつ安定した書込み放電を実現することができる。加えて、引き出し部を設け、引き出し部を介してすべてのプライミング電極に一括して駆動電圧を印加することで、プライミング電極の駆動回路を簡略化、合理化することができ、さらに、引き出し部の電気抵抗を小さくすることでプライミング電極に駆動電圧を印加する際の発熱を低減することが可能となる。
【産業上の利用可能性】
【００６８】
本発明にかかるプラズマディスプレイパネルは、高精細化した場合でも書込み放電を高速で安定して行い、プライミング電極の駆動回路の簡略化、合理化と、プライミング電極に駆動電圧を印加する際の発熱を低減することができ、産業上有用である。
【図面の簡単な説明】
【００６９】
【図１】本発明の実施の形態におけるプラズマディスプレイパネルを示す断面図
【図２】本発明の実施の形態におけるプラズマディスプレイパネルの背面基板側の構造を模式的に示す斜視図
【図３】本発明の実施の形態におけるプラズマディスプレイパネルの電極配列図
【図４】本発明の実施の形態におけるプラズマディスプレイパネルの駆動波形図
【図５】本発明の実施の形態における背面基板側の構造を模式的に示す平面図
【図６】本発明の実施の形態における引き出し部およびプライミング電極に電流が流れる様子を模式的に示した図
【図７】本発明の実施の形態における背面基板側の構造の一例を模式的に示す平面図
【図８】本発明の実施の形態における背面基板側の構造の他の例を模式的に示す平面図
【図９】本発明の実施の形態における引き出し部の形状の一例を示す概略図
【図１０】本発明の実施の形態における引き出し部の形状の他の例を示す概略図
【図１１】本発明の実施の形態における引き出し部とプライミング電極との接続箇所の一例を示す拡大図
【符号の説明】
【００７０】
２１    （ガラス製の）前面基板
２２    走査電極
２２ａ，２３ａ    透明電極
２２ｂ，２３ｂ    金属母線
２２ｂ’    突出部分
２３    維持電極
２４，３３ａ，３３ｂ    誘電体層
２５    保護層
２８    光吸収層
３１    （ガラス製の）背面基板
３２    データ電極
３４    隔壁
３４ａ    縦壁部
３４ｂ    横壁部
３５    蛍光体層
３６    プライミング電極
３８    引き出し部
３８ａ    第１の引き出し部
３８ｂ    第２の引き出し部
３９    接続部
４０    主放電セル
４１    隙間部
４１ａ    プライミング（放電）セル
【図１】
2005149830.tif 000003
【図２】
2005149830.tif 000004
【図３】
2005149830.tif 000005
【図４】
2005149830.tif 000006
【図５】
2005149830.tif 000007
【図６】
2005149830.tif 000008
【図７】
2005149830.tif 000009
【図８】
2005149830.tif 000010
【図９】
2005149830.tif 000011
【図１０】
2005149830.tif 000012
【図１１】
2005149830.tif 000013